(57)【特許請求の範囲】
【請求項１】
給電されると発光するよう設計される発光層と、
少なくとも２つの電力信号パルスの伝播を遅延させるよう設計され、該少なくとも２つの電力信号パルスは、互いと時間的関係を有し、且つ、前記発光層の部分において当該少なくとも２つの電力パルスが重なり合って重畳パルスを形成する場合に該重畳パルスの振幅が前記部分の閾電圧を超えることに応答して前記部分が駆動されるような信号強さを有する、遅延層と、
少なくとも２つの電極コネクタを有し、該少なくとも２つの電極コネクタの夫々は前記少なくとも２つの電力信号パルスのうちの対応する１つを受信する端子層と
を有し、
前記遅延層は、有機発光ダイオードの前記発光層によって実現される容量素子を有し、
前記少なくとも２つの電極コネクタは、前記遅延層の別個の異なる位置に配置され、該別個の異なる位置で前記遅延層に前記少なくとも２つの電力信号パルスを供給する、有機発光ダイオード。
【請求項２】
前記遅延層は、前記発光層に隣接して延在する強磁性体層を有する、
請求項１に記載の有機発光ダイオード。
【請求項３】
前記遅延層は、前記端子層に隣接して延在し、及び／又は、該端子層の少なくとも１つの電極コネクタと少なくとも部分的に重なり合う、
請求項１又は２に記載の有機発光ダイオード。
【請求項４】
前記端子層に隣接して延在する前記遅延層は、透明である、
請求項２又は３に記載の有機発光ダイオード。
【請求項５】
前記遅延層は、前記端子層の前記少なくとも２つの電極コネクタと前記発光層との間に直列に接続される誘導素子を更に有し、該誘導素子と、前記発光層によって実現される前記容量素子とは一緒に、前記発光層への前記電力信号パルスの伝播を遅延させる遅延平面を形成する、
請求項１乃至４のうちいずれか一項に記載の有機発光ダイオード。
【請求項６】
前記端子層は、電極層セグメントに分割され、前記端子層は、隣接する電極層セグメントを互いに接続する誘導素子を更に有し、そのようにして接続された前記電極層セグメントの端にある少なくとも２つの電極層セグメントが前記少なくとも２つの電極コネクタを有するようにする、
請求項１乃至５のうちいずれか一項に記載の有機発光ダイオード。
【請求項７】
前記電極層セグメントは、画素セグメント及び／又は所定の自由形状セグメントを形成するよう設計される、
請求項６に記載の有機発光ダイオード。
【請求項８】
前記発光層は、非線形な電流対電流特性曲線を有するよう積層構造で形成される、
請求項１乃至７のうちいずれか一項に記載の有機発光ダイオード。
【請求項９】
前記発光層は、セグメントに分けられる、
請求項１乃至８のうちいずれか一項に記載の有機発光ダイオード。
【請求項１０】
給電されると発光するよう設計される有機発光ダイオードの発光層の部分に選択的に給電する回路であって、前記有機発光ダイオードは、少なくとも２つの電極コネクタを有する端子層を有し、該少なくとも２つの電極コネクタの夫々は、少なくとも２つの電力信号パルスのうちの対応する一方を受け取り、前記少なくとも２つの電極コネクタは、前記有機発光ダイオードの遅延層の別個の異なる位置に配置されて該別個の異なる位置で前記遅延層に前記少なくとも２つの電力信号パルスを供給し、前記遅延層は、前記少なくとも２つの電力信号パルスの伝播を遅延させるよう設計され、前記遅延層は、前記有機発光ダイオードの前記発光層によって実現される容量素子を有する、回路において、
前記有機発光ダイオードの前記端子層と協働し、前記少なくとも２つの電力信号パルスを当該回路から前記有機発光ダイオードへ運ぶよう設計されるコネクタ構造体と、
該コネクタ構造体と接続され、前記少なくとも２つの電力信号パルスが、互いと時間的関係を有するとともに、前記発光層の前記部分において当該少なくとも２つの電力パルスが重なり合って重畳パルスを形成する場合に該重畳パルスの振幅が前記部分の閾電圧を超えることに応答して前記部分が駆動されるような信号強さを有するように、前記少なくとも２つの電力信号パルスを生成するよう設計される発生器配置と
を有する回路。
【請求項１１】
請求項１乃至９のうちいずれか一項に記載の有機発光ダイオードを有し、給電されると発光するよう設計される前記有機発光ダイオードの発光層の部分に選択的に給電する回路であって、前記有機発光ダイオードは、少なくとも２つの電極コネクタを有する端子層を有し、該少なくとも２つの電極コネクタの夫々は、少なくとも２つの電力信号パルスのうちの対応する一方を受け取り、前記少なくとも２つの電極コネクタは、前記有機発光ダイオードの遅延層の別個の異なる位置に配置されて該別個の異なる位置で前記遅延層に前記少なくとも２つの電力信号パルスを供給し、前記遅延層は、前記少なくとも２つの電力信号パルスの伝播を遅延させるよう設計され、前記遅延層は、前記有機発光ダイオードの前記発光層によって実現される容量素子を有する、回路において、
前記有機発光ダイオードの前記端子層と協働し、前記少なくとも２つの電力信号パルスを当該回路から前記有機発光ダイオードへ運ぶよう設計されるコネクタ構造体と、
該コネクタ構造体と接続され、前記少なくとも２つの電力信号パルスが、互いと時間的関係を有するとともに、前記発光層の前記部分において当該少なくとも２つの電力パルスが重なり合って重畳パルスを形成する場合に該重畳パルスの振幅が前記部分の閾電圧を超えることに応答して前記部分が駆動されるような信号強さを有するように、前記少なくとも２つの電力信号パルスを生成するよう設計される発生器配置と
を有する回路。
【請求項１２】
給電されると発光するよう設計される発光層を有する有機発光ダイオードの動作方法であって、
少なくとも２つの電力信号パルスを受け取るステップであって、該少なくとも２つの電力信号パルスは、互いと時間的関係を有し、且つ、前記発光層の部分において当該少なくとも２つの電力パルスが重なり合って重畳パルスを形成する場合に該重畳パルスの振幅が前記部分の閾電圧を超えることに応答して前記部分が駆動されるような信号強さを有する、ステップと、
前記少なくとも２つの電力信号パルスを前記有機発光ダイオードの遅延層に該遅延層の異なる位置で供給するステップであって、前記遅延層は、前記有機発光ダイオードの前記発光層によって実現される容量素子を有する、ステップと、
前記遅延層によって前記少なくとも２つの電力信号パルスの伝播を遅延させるステップと、
前記発光層の前記部分での前記少なくとも２つの電力信号パルスの一致に依存して前記発光層の前記部分を駆動するステップ
を有する方法。
【請求項１３】
前記有機発光ダイオードは、少なくとも２つの電極コネクタを有する電極層を有し、該少なくとも２つの電極コネクタの夫々は、前記少なくとも２つの電力信号パルスのうちの対応する一方を受信し、前記少なくとも２つの電極コネクタは、前記遅延層の別個の異なる位置に配置されて該別個の異なる位置で前記遅延層に前記少なくとも２つの電力信号パルスを供給し、前記遅延層は、前記電極層の前記少なくとも２つの電極コネクタと前記発光層との間に直列に接続される誘導素子を更に有し、該誘導素子と、前記発光層によって実現される前記容量素子とは一緒に、前記発光層への前記電力信号パルスの伝播を遅延させる遅延平面を形成する、
請求項１２に記載の方法。
【発明の詳細な説明】
【技術分野】
【０００１】
本発明は、給電されると発光するよう設計される発光構造体を有する有機発光ダイオードに関する。本発明は、更に、有機発光ダイオードに給電するための回路及び有機発光ダイオードの動作方法に関し、この回路及び方法において、有機発光ダイオードは、給電されると発光するよう設計される発光構造体を有する。
【背景技術】
【０００２】
様々なタイプのディスプレイ装置が知られている。このようなディスプレイ装置において、表示素子又は画素のアレイは、表示される内容に従って個別に駆動される。従来の技術には、液晶（ＬＣＤ）ディスプレイガス放電又はプラズマディスプレイ、及び薄膜トランジスタＬＣＤディスプレイ等がある。国際公開第９６／１５５１９号明細書は、そのような画素に基づくディスプレイに係る様々な実施形態を記載している。半導体技術の進歩は、有機発光ダイオードディスプレイの開発を導いてきた。有機発光ダイオードディスプレイは、その特性のために、例えば、ガス放電又はＴＦＴ技術を用いることによって達成可能なものよりずっと大きい連続的な発光面の実現を可能にする。 
図７は、当該技術において含まれる有機発光ダイオード（ＯＬＥＤ）２８の基本構造の断面概略図である。ＯＬＥＤ２８は基板２９を有し、動作中、光は、矢印３００で示されるように、基板２９を通って放射される。ＯＬＥＤ２８の内側は、いわゆる密封カバー（hermetic  cover）３１によって密閉されている。ＯＬＥＤ２８は、カバー３１の内側でカバー３１に隣接して延在するカソードコネクタ３２を更に有する。以降、ＯＬＥＤ２８の内側（プレーナー構造）への延在はカソード層３２ａと呼ばれる。ＯＬＥＤ２８は、カバー３１の内側で基板２９に隣接して延在するアノードコネクタ３３を更に有する。ＯＬＥＤ２８の基板は、有機層３４のスタック（例えば、光発生のための有機層、電荷発生層、バッファ層等を含むが、このような層に限定されない。）を有し、本例では、３つの層が示されている。このような層３４のスタックは、適切な極性及び強さの電気信号（例えば、アノードコネクタ３３とカソードコネクタ３２との間に印加される直流（ＤＣ）信号）によって給電される場合に放射されるべき光を生成することに関与する。アノードコネクタ３３及びカソードコネクタ３２は、ＯＬＥＤ２８の端子構造体を実現する。通常、基準電位はカソードコネクタ３２を介して与えられる。基板２９に隣接するＯＬＥＤ２８の内部（プレーナー構造）へのアノードコネクタ３３の延在（以降、アノード層３３と呼ばれる。）は、上部電極とも呼ばれ、シート抵抗を有することが知られている例えばＩＴＯ（インジウムスズ酸化物）等の透明な導電材料から作られてよい。ＯＬＥＤ２８の大きな２次元平面構造又は面積（例えば、０．１５ｍ×０．１５ｍ）及びそのサンドウィッチ状設計のために、ＯＬＥＤ２８は、単位面積又は単位長さごとに比較的高い容量値を有するキャパシタを予め内在的に有する。
【０００３】
そのような従来技術のＯＬＥＤ２８の問題の１つは、アノード層３３（上部電極とも呼ばれる。）によって生成されるシート抵抗に関連する。シート抵抗は、当該技術で知られている輝度不均一の問題に関与する。一般に、そのようなＯＬＥＤ２８は、その輝度分布において傾きを示す。通常、放射される光の輝度は、ＯＬＥＤ２８の平面的な発光面の角又はエッジ領域から中心領域へ向かって落ちる。
【発明の概要】
【発明が解決しようとする課題】
【０００４】
従って、本発明は、改善された設計及び性能を備えた上記タイプのＯＬＥＤを提供することを目的とする。また、従来技術の問題が解消されるようにＯＬＥＤの動作を可能にするよう上記タイプの回路及び方法を提供することが望ましい。
【課題を解決するための手段】
【０００５】
この目的は、
給電されると発光するよう設計される発光構造体、及び
互いと時間的関係を有する少なくとも２つの電力信号パルスであって、前記発光構造体の一部分が該部分での前記電力信号パルスの一致に依存して駆動されるような信号強さを有する前記少なくとも２つの電力信号パルスの伝播を遅延させるよう設計される遅延構造体、及び
前記少なくとも２つの電力信号パルスを受信し、該少なくとも２つの電力信号パルスを異なった位置で前記遅延構造体に供給するよう設計される端子構造体
を有し、前記遅延構造体は、有機発光ダイオードの前記発光構造体によって実現される容量素子を有する、有機発光ダイオードによって達成される。
【０００６】
また、この目的は、給電されると発光するよう設計される有機発光ダイオードの発光構造体の一部分に選択的に給電する回路であって、前記有機発光ダイオードは、少なくとも２つの電力信号パルスを受け取って、該少なくとも２つの電力信号パルスを前記有機発光ダイオードの遅延構造体に該遅延構造体の異なった位置で供給するよう設計される端子構造体を有し、前記遅延構造体は、前記有機発光ダイオードの前記発光構造体によって実現される容量素子を有し、前記少なくとも２つの電力信号パルスの伝播を遅延させる回路において、
前記有機発光ダイオードの前記端子構造体と協働し、前記少なくとも２つの電力信号パルスを当該回路から前記有機発光ダイオードへ運ぶよう設計されるコネクタ構造体と、該コネクタ構造体と接続され、前記少なくとも２つの電力信号パルスが、互いと時間的関係を有するとともに、前記発光構造体の前記部分が該部分での前記電力信号パルスの一致に依存して駆動されるような信号強さを有するように、前記少なくとも２つの電力信号パルスを生成するよう設計される発生器配置とを有する回路によって達成される。
【０００７】
また、この目的は、給電されると発光するよう設計される発光構造体を有する有機発光ダイオードの動作方法であって：
互いと時間的関係を有する少なくとも２つの電力信号パルスであって、前記発光構造体の一部分が該部分での前記電力信号パルスの一致に依存して駆動されるような信号強さを有する前記少なくとも２つの電力信号パルスを受け取るステップ；
前記少なくとも２つの電力信号パルスを、前記有機発光ダイオードの前記発光構造体によって実現される容量素子を有する前記有機発光ダイオードの遅延構造体に該遅延構造体の異なった位置で供給するステップ；
前記遅延構造体によって前記少なくとも２つの電力信号パルスの伝播を遅延させるステップ；及び
前記発光構造体の前記部分での前記電力信号パルスの一致に依存して前記発光構造体の前記部分を駆動するステップ
を有する方法によって達成される。
【０００８】
ＯＬＥＤの発光面内の輝度分布が、一方では、従来のＤＣ動作中の輝度不均一問題の補償が達成されるように、生成され及び／又は調整され得ることが、これらの方法によって有利に達成される。しかし、他方で、本発明に従う特徴は、追加手段を設けることなく、印象的な視覚効果を作り出すことも可能にする。
【０００９】
本発明に従うＯＬＥＤ及び方法は、発光構造体の選択された部分に供給される電力が、少なくとも２つの電力信号パルスの一致によってアドレッシングされるという認識に基づいており、発光構造体の個々の部分に放たれるトータルの電力若しくは電圧、又は、より一般的に言えば、全体信号強さは、伝播する電力信号パルスのただ１つ又は少なくとも２つの電力信号パルスの重ね合わせが発光構造体のその部分の位置に存在しているかどうかという事実に依存する。言い換えると、発光構造体は、ＯＬＥＤの発光構造体の特定の部分での電力信号パルスの一致に依存して給電される。このことは、光を放つようアクティブ又は非アクティブにされる領域を生じさせうる。時間的関係は、遅延構造体内の２つの電力信号パルスの一致の位置を決定する。時間的関係は、様々な異なる時点で同じ形状を有する異なる電力信号パルスを生成するタイミングにおいて与えられてよい。時間的関係を変化させることは、異なる結果の重ね合わせ効果をもたらす。代替的に、個々の電力信号パルスを生成する周波数を異なる値に設定することによっても、特定の時間的関係が生成される。なお、異なる形状及び／又は存続時間を有する電力信号パルスを生成することによって、時間的関係が生成されてもよい。このような多くの時間的関係の生成方法は全て、場合によっては組み合わされてよく、当業者は、本発明の適用範囲から逸脱することなく、時間的関係を生成するために所望の解決方法を適用する。
【００１０】
伝播する電力信号パルスによって発光構造体の選択された部分へ電力をアドレッシングするために、電力信号パルスは、ＯＬＥＤによって受けられる必要がある。あわせてＯＬＥＤの端子構造体を形成し且つＯＬＥＤの対向する側に配置されるアノードコネクタ及びカソードコネクタを示す従来のＯＬＥＤは、基本的に、アノードコネクタとカソードコネクタとの間に印加されるＤＣ電力信号によって給電されるよう設計される。アノードコネクタ及びカソードコネクタのうちの一方は、基準信号を供給する。この従来のコネクタ構造体とは異なり、本発明のＯＬＥＤに従う端子構造体は、互いに独立して電気的に電力信号パルスを受け取ることを可能にする。それでもやはり、端子構造体は、基準電位を供給する１つの端子を有するが、他の端子は、電力信号パルスを受け取って、夫々の個々の電力信号パルスを当該構造体の異なる位置で遅延構造体に供給又は投入するよう配置される。これは、電力信号パルスが遅延構造体内の特定の位置で一致し、建設的に又は破壊的に互いに影響し合うまで、個々に独立した態様で遅延構造体内の電力信号パルスの空間的伝播を可能にする。伝播する電力信号パルスの建設的又は破壊的な重ね合わせを可能にするために、これらの電力信号パルスは共通基準電位を必要とする。共通基準電位は、通常はＯＬＥＤの電極の１つを介して供給される。
【００１１】
通常、ＯＬＥＤは、アノード層及びカソード層を有する。層の１つは、前記共通基準電位を供給するために使用されてよい。また、ＯＬＥＤ内部で共通基準電位の使用を除くことも可能である。１つの電極層における両方の次元について電力信号パルスのための多数のコネクタを有することに代えて、独立した電力層が２つの次元について使用される。例えば、平面状構造では、アノード層は、左コネクタ及び右コネクタを有してよく、カソード層は、左コネクタ及び右コネクタに対して直交方向に、上部コネクタ及び下部コネクタと呼ばれるコネクタを有してよい。これらの層の夫々は、例えば、前記左コネクタから前記右コネクタへの、及び前記上部コネクタから前記下部コネクタへの独立した電力信号パルス伝播のために使用されてよい。この場合において、共通基準電位は、例えば、ＯＬＥＤへ接続されている汎用回路又は発生器配置によって、ＯＬＥＤの外側で供給されてよい。
【００１２】
一方で、本発明に従う解決法は、第１の（例えば、正の）極性を有する電力信号パルスの重なりを達成するために使用されてよい。これは、発光構造体の一部分への電力の供給が、電力信号パルスによって運ばれる電力にのみ基づくことを可能にする。なお、一致する電力信号パルスのＤＣ信号との重なりも同じ結果を達成することができる。他方で、第２の（例えば、負の）極性を有する電力信号の重なりが達成されてよく、これは、発光構造体の一部分への電極の供給を抑制するために使用されてよく、同時に、第２の極性を有する前記電力信号パルスの重ね合わせに晒されない発光構造体の他の部分は、依然として、例えば、第１の極性を有する他の電力信号パルス又はＤＣ電力によって、給電される。従って、電力信号パルスは、発光構造体の一部分をアクティブ及び非アクティブ（電力の供給又は電力を受ける能力を回避／抑制すること）にするために使用されてよい。結果として、発光構造体のその部分は、電力信号パルスの一致に依存して駆動されてよい。
【００１３】
本発明に従う回路は、電力信号パルスを生成し、それらを本発明に従うＯＬＥＤへ送る。電力信号パルスの伝送を容易にするために、回路は、ＯＬＥＤの端子構造体と協働するよう設計される特定のコネクタ構造体を有する。このコネクタ構造体は、個々の電力信号パルスが、ＯＬＥＤの端子構造体が配置されている異なる位置でＯＬＥＤ内に回路から引き渡されるように、ＯＬＥＤの対応する端子構造体を含むことを可能にする。そのようなコネクタ構造体のとり得る設計は、共通基準信号コネクタと、複数の更なるコネクタとを示してよい。複数の更なるコネクタの夫々は、伝播を遅延させる場合にＯＬＥＤへの基準信号を参照して特定の電力信号パルスを伝送するために該特定の電力信号パルスに専用であり、電力信号パルスのタイミングに依存して、建設的又は破壊的な重ね合わせも発光構造体の一部分で起こってよい。例えば、先行技術のＯＬＥＤと対照的に、更なるコネクタは、例えばＯＬＥＤの長方形の平面延長の４つの端にあるＯＬＥＤの端子構造体の異なる位置に配置される複数のカソードコネクタであってよく、一方、アノードコネクタは、その既知の位置に配置され、共通基準信号を受信する働きをする。コネクタ構造体は、対応する位置に配置されるコネクタとともに、これを考慮する。
【００１４】
また、回路は、前記更なるコネクタへの電力信号パルスの伝送を選択／アドレッシングするためのスイッチ又はマルチプレクサと協働する１つの発生器を更に有してよい。これらの要素又は単に複数の個別の発生器は、少なくとも２つの電力信号パルスを生成するよう設計される発生器配置を実現してよい。発生器配置は、生成される電力信号パルスがコネクタ構造体を介してＯＬＥＤに伝送可能であるように、コネクタ構造体と接続される。発生器配置の設計は、更に、ＯＬＥＤの発光構造体の一部分が発光構造体の前記部分での電力信号パルスの一致に依存して駆動されるように、少なくとも２つの電力信号パルスの信号強さを設定することを可能にする。最後に、電力信号パルスの一致が発光構造体の特定の（又は、言い換えると、選択若しくはアドレッシングされた）部分で起こることを可能にするために、発生器配置の設計は、タイミング制御手段を更に有してよく、少なくとも２つの電力信号パルスの時間的関係（又は、言い換えると、タイミング）を生成することを可能にする。ＯＬＥＤの遅延構造体の特定の特性に依存してタイミングを調整又は設定することは、建設的又は破壊的に干渉する電力信号パルスに晒される発光構造体のその部分の制御を可能にする。
【００１５】
従属クレーム及び以下の記載は、本発明の特に有利な実施形態及び特徴を開示する。一方、特に、本発明に従う方法は、更に、従属するＯＬＥＤ又は回路クレームで定義されるように発展してよい。
【００１６】
本発明の１つの態様に従って、前記遅延構造体は、誘導特性、望ましくは、前記発光構造体に隣接して延在する強磁性体層を有する。この層は、電極のいずれか一方の側に配置されてよい。しかし、前記層が、ＯＬＥＤの密封カバーに向けられている不透明な電極の側に配置される場合に、特に有利である。このことは、ＯＬＥＤの基本設計を保つことを可能にし、核となる発光構造体の外側での軽微な設計変更しか要しない。
【００１７】
本発明の更なる態様に従って、誘導特性を有する前記層、例えば強磁性体層は、電極層に隣接して延在し、及び／又は、該電極層の少なくとも１つの又は複数の（例えば、２若しくはそれ以上の）電極コネクタと少なくとも部分的に重なり合う又は該電極コネクタを部分的に覆う。このことは、仮にあったとしても、標準の位置に配置される標準の形状及び寸法のコネクタを用いることによって、比較的な簡単な方法で遅延構造体への個々の電力信号パルスの入力を可能にする。前記強磁性体層は、電極層又は電極コネクタと直接接してよいが、それらの要素から一定の距離で配置されてもよい。
【００１８】
本発明の一実施形態において、誘導特性を有する前記層、例えば強磁性体層は、前記電極層に隣接して延在してよい。また、前記電極層は透明であってよい。このことは、また、遅延構造体を生成するために、発光の方向にあるＯＬＥＤの透明電極を利用することを可能にする。
【００１９】
本発明の更なる態様に従って、前記遅延構造体は、当該有機発光ダイオードの電極コネクタ及び／又は電極を有する。このことは、電極及び／又は電極コネクタが、場合によっては、遅延構造体の誘導成分の選択された実装に依存して、単位長さ若しくは面積ごとに又は要素ごとに適切な誘導値を設定することを可能にするならば、電極及び／又は電極コネクタによって部分的に又は完全に遅延構造体を実現することを可能にする。電極及び／又は電極コネクタのための材料の適切な選択は、この設計選択をサポートする。
【００２０】
本発明の一実施形態に従って、前記遅延構造体は、当該有機発光ダイオードの電極層のうちの少なくとも１つを有し、電極層セグメント及び誘導素子（例えば、コイル）において構成され、隣接する電極層セグメントは、前記誘導素子によって互いと接続される。このことは、１又はそれ以上のそのようなコイルが、適切に制御された、再現性のある、且つ、費用効率の良い方法を適用することによって、印刷されたコイルとして、比較的費用効率の良い態様でＯＬＥＤの設計に加えられ得るので、遅延構造体における誘導素子の簡単な形成を可能にする。この解決法は、更に、構造化された電極層のセレーションを可能にする。これは、セグメント化された構造であるかのようにＯＬＥＤの発光構造体を扱うことを可能にする。
【００２１】
特に、画素セグメント及び／又は所定の自由形状セグメントを形成するよう設計される電極セグメントと組み合わせて、印象的な視覚効果が、伝播する電力信号パルスの概念を適用するだけで達成可能である。
【００２２】
本発明に従って、前記遅延構造体は、当該有機発光ダイオードの前記発光構造体により実現される容量素子を有する。容量素子は、電極コネクタ、電極層、及び、電極層の間に有機層のスタックを有する発光構造体によって、実現される。これに関連して、電極層はキャパシタ板を形成し、発光構造体は、それらのキャパシタ板の間の誘電体媒質を実現する。このことは、遅延構造体の一部又は全体を実現するために、如何なる更なる回路部品も加えられることなく、発光構造体の固有特性を利用することを可能にする。それは、更に、発光構造体の特定の設計を選択することによって、容量素子の値を設定することを可能にする。
【００２３】
本発明に従うＯＬＥＤにおける遅延構造体は、１次元であってよい。これは、遅延構造体の辺全体又は辺の本質的な部分が略同時に個々の電力信号パルスに晒されるならば、対向する辺（例えば、長方形形状の遅延構造体の平行する辺）から遅延構造体への電力信号パルスの供給を必要とする。従って、一方向のみにおける電力信号パルスの平面波状の伝播が達成されてよい。端子構造体を設計することに関して、遅延構造体の夫々の辺全体に沿って夫々の電力信号パルスを供給することが可能であるような設計を提供することが必要とされる。そのような設計は、遅延構造体の当該辺に沿って夫々の電極コネクタを延在させることによって、達成されてよい。好ましい実施形態においては、電極コネクタは、遅延構造体の夫々の辺全体に沿って延在する。代替的に、電極コネクタの延在の長さが遅延構造体の夫々の辺の正確な長さから外れるところの設計も実現可能である。しかし、遅延構造体が、あわせて遅延平面を形成して該遅延平面の両方の次元において電力信号パルスの伝播させる誘導素子及び容量素子を有する場合に、特に有利であることが証明されている。このことは、同様に２次元平面における電力信号パルスの伝播を可能にする。従って、あらゆる可能な視覚的効果が達成可能である。先と同じく、端子構造体の設計は、遅延構造体の辺全体又は辺の本質的な部分が略同時に個々の電力信号パルスに晒されるならば、個々の電力信号パルスが遅延平面の対向する辺（例えば、左右の辺及び上下の辺）で遅延構造体に供給されることを必要とする。先と同じく、一方向のみ（例えば、左右方向又は上下方向）における、しかし、本例では２次元における電力信号パルスの平面波状の伝播が、同時に達成されてよい。遅延平面の長方形形状が望ましいが、他の形状も個人の要求及び設計要件に従って使用されてよい。
【００２４】
本発明の更なる態様に従って、前記発光構造体は、非線形な電流対電流特性曲線をまとまって有する有機及び／又は無機層によって実現される層のスタックを有する。このことは、ＯＬＥＤの領域が給電され得る前に、特定の数の電力信号パルスが必要とされるように複数の電力信号パルスの強さを定義することを可能にする。これは、適切な数の電力信号パルスが発光構造体の特定の領域で一致する場合に、所望の／設計された数のみの電力信号パルスがＯＬＥＤの閾電圧を超える信号強さを達成することによる。しかし、また、逆の効果が、選択的に電力信号パルスがＯＬＥＤの発光構造体の特定の部分で破壊的に干渉することを可能にすることによって、達成されてよい。このことは、多数の（例えば、選択された）ＯＬＥＤの領域が、光を放射しないようにされ、又はＯＬＥＤの他の発光領域と対照的に低減された高度を示すようにする。
【００２５】
本発明の更なる態様に従って、同形タイプの発光構造体は好ましい選択であってよい。しかし、本発明の他の態様に従って、セグメントに分けられた発光構造体が、個別の用途に従って提供されてもよい。このことは、個々のセグメントが任意にＤＣバイアス電圧を重ね合わせる電力信号パルスを適切にアドレッシングされる場合に、容易な画素又は自由形状の光の放射を可能にする。
【００２６】
本発明の好ましい実施形態においては、少なくとも２つの電力信号を受ける端子構造体は、少なくとも２つのコネクタ（例えば、望ましくは、しかし必ずしもそうではないが、カソード層の２つのカソードコネクタ等の同タイプの電極のコネクタ）を有する。この構造では、多数の２又はそれ以上のアノードコネクタ又は多数の２又はそれ以上のカソードコネクタは、共通の接地信号電極に対して電力信号パルスの供給を可能にするために、例えば、長方形形状のＯＬＥＤの異なる辺で、選択及び配置されてよい。このことは、ＯＬＥＤの異なる辺から遅延構造体への電力信号パルスの供給を可能にする。供給は、２つ饒辺からのみ行われてよい。ＯＬＥＤが長方形形状であるならば、電力信号パルスが４つの辺全てから供給される場合に、特に有利である。しかし、本発明の主旨から逸脱することなく、ＯＬＥＤの形状の特定の設計に依存した供給配置が考えられてよく、供給点／電極コネクタの様々な位置付け及び多数性が選択されてよい。電極コネクタは、必ずしもＯＬＥＤの外縁に配置される必要はなく、電極層（例えば、不透明な電極層）内に配置されてもよい。この状況では、電極コネクタは、発光構造体に垂直に延在してよく、例えば、ＯＬＥＤの上部から接続可能であり、あるいは、他の手段（配線、追加の電極層）を介して外縁へ接続されてよい。
【００２７】
本発明に従うＯＬＥＤの高度な応用において、ＯＬＥＤのみならず、そのようなＯＬＥＤを有する装置又は回路も、独立操作を可能にすることから、有利である。特に、発生器配置及びそのコネクタ構造体に加えて、本実施形態に従う回路は、当該回路のコネクタ構造体と永続的に又は解放可能に接続される新しいＯＬＥＤを更に有する。
【００２８】
上記の利点及び達成される効果は、また、本発明に従う方法に当てはまる。
【００２９】
本発明の他の目的及び特徴は、添付の図面を参照して以下の詳細な説明から明らかになるであろう。なお、図面は、もっぱら例示のために設計されており、本発明の限定の定義として考えられるべきではないことが理解されるべきである。
【図面の簡単な説明】
【００３０】
【図１】１次元構造における本発明に従う動作の原理を説明する回路図である。
【図２ａ】図１に示される回路の第１の動作シナリオを信号シーケンス図の形で概略的に示す。
【図２ｂ】図１に示される回路の第２の動作シナリオを図２ａと同じように示す。
【図２ｃ】図１に示される回路の第３の動作シナリオお図２ａ及び２ｂと同じように示す。
【図３】図１に示される回路のシミュレーション結果を示す。
【図４ａ】２次元構造へ図１の１次元構造の拡張を示す。
【図４ｂ】図４ａのマトリクス要素の１つを示す。
【図５】図４ａに示される２次元構造の概念の回路表現を示す。
【図６】ａ〜ｄは、図５の回路の幾つかのシミュレーション結果を示す。
【図７】最先端の有機発光ダイオード（ＯＬＥＤ）の構造の概略図である。
【図８】本発明に従うＯＬＥＤの第１実施形態を示す。
【図９】図８のＯＬＥＤの関連構造を示す。
【図１０】本発明に従うＯＬＥＤの第２実施形態を示す。
【図１１】図１０のＯＬＥＤのセグメント化されたアノード層で形成される誘導構造を示す。
【図１２ａ】変形された動作原理を説明する回路図である。
【図１２ｂ】図１２ａに示される電力信号発生器の詳細を示す。
【図１３ａ】図１２ａの回路における電力信号パルスの伝播を示す。
【図１３ｂ】図１２ａに示される回路のシミュレーション結果を示す。
【図１４】更に変形された動作原理を説明する回路図である。
【発明を実施するための形態】
【００３１】
図面において、同一の符号及び数字は、全体を通して同じ対象及び物品を参照する。図中の対象及び物品は、必ずしも実寸通りに描かれているわけではない。
【００３２】
本発明は、有機発光ダイオード（ＯＬＥＤ）の分野における革新的な改善に関する。そのような革新的なＯＬＥＤの具体的な設計を扱う前に、本発明に従うＯＬＥＤの設計の基礎をなす動作原理について以下で説明する。明りょうさ及び完全性のために、動作原理はディスクリート回路を参照して説明される。
【００３３】
図１は、複数の負荷素子２１から２ｎに選択的に給電する回路１を示す。本場合において、負荷素子２１から２ｎは、個々の理想的なＯＬＥＤによって実現される。本例における理想的なＯＬＥＤは発光特性しか有さないと考えられる。これは、図７を参照して以下で更に詳細に説明されるように、ＯＬＥＤの実際的な実施形態の容量又は誘導特性のような実際的な電気特性と対象をなす。しかし、ＬＥＤと同様に、このような理想的なＯＬＥＤは、非線形な電圧対電流特性曲線を有する。かかる特性は、閾電圧ＶＦ（フォワード電圧とも呼ばれる。）がＯＬＥＤのアノードコネクタとカソードコネクタとの間に印加される場合のみ、電流フロー及び結果として起こる光の放射を可能にする。ＯＬＥＤ及び／又は層構造が設計される放射光の色に依存して、特定のフォワード電圧が、例えば、約２から８ボルトの範囲で、印加されるべきである。
【００３４】
回路１は、複数の遅延素子５１から５ｎを更に有する。遅延素子５１から５ｎは、電力信号パルス４ａ及び４ｂのための伝播ラインを形成するように相互接続されている。遅延素子５１から５ｎの夫々は、電力信号パルス４ａ又は４ｂの伝播を遅延させ、且つ、電力信号パルス４ａ及び４ｂをＯＬＥＤ２１から２ｎの夫々へ放出するよう設計される。説明のために、ＯＬＥＤ２１から２ｎの夫々のみが、例えば、遅延素子５１と５ｎとの間といったように（図１には示されていないが、ＯＬＥＤ２１の直ぐ後に続く。）、遅延素子５１から５ｎの中の２つの隣接する遅延素子の間に、それらの遅延素子と並列に接続されている。遅延素子５１から５ｎの夫々は、インダクタＬ及びキャパシタＣを有する共振回路によって実現される。第１のＯＬＥＤ２１とともに、第１の遅延素子５１のインダクタＬ及びキャパシタＣは、ボックスＥ１によって示される所謂単位（unit  element）を形成する。この単位素子Ｅ１は、他の単位素子Ｅ２からＥｎ（Ｅ２からＥｎ−１は図示せず。）によって後に続かれる。明りょうさ及び簡単のために、Ｅ１と称されるもののような単位素子を示すそのようなボックスＥ１からＥｎは、必要に応じて、以降の図において使用される。遅延ラインの対称性を考えると、遅延素子５１から５ｎは、図面の左から右へ移動していく場合に、第１の電力信号パルス４ａから見られるように示されている。この場合に、伝播ラインは、その右端にある、遅延素子５１から５ｎのいずれにも属さない補助インダクタＬで終わっているように見える。しかし、これは、以下で説明される伝播ラインに沿って見る方向の問題である。第２の電力信号パルス４ｂは図面の右から左へ移動すると仮定される。その場合に、この第２の電力信号パルス４ｂは、同様に、遅延素子５１から５ｎの列に向かう。この場合に、遅延素子５１から５ｎの列は、右側から見た最初のインダクタＬから始まり、右側から見た最初のキャパシタＣを有する。また、このシナリオでは、補助インダクタは、伝播ラインの左端に依然としてあってよい。結果として、電力信号パルス４ａ又は４ｂが左又は右のどちらの側から伝播ライン入るのかとは無関係に、伝播ラインは、夫々の電力信号パルス４ａ又は４ｂについて同じ構造を有するように現れる。これは、対称な伝播条件を提供するために必要である。
【００３５】
導電状態で動作しているときのＯＬＥＤの消散的効果を無視すると、インダクタＬ及びキャパシタＣの反復構造は、特性インピーダンスＺ：
Ｚ＝√（Ｌ／Ｃ）            （式１）
を有する無損失伝送線路を実現する。
【００３６】
セグメントごとの遅延は、
ｔｓｅｇ＝√（Ｌ・Ｃ）            （式２）
として与えられる。
【００３７】
伝送線路の特性を用いると、本発明の主旨は、夫々の伝播する電力信号パルス４ａ又は４ｂが、ＯＬＥＤ２１から２ｎのフォワード電圧を超えない電圧で測定される信号強さを有するべきであるという認識に基づく。２つの電力信号パルス４ａ及び４ｂの重ね合わせのみが、ＯＬＥＤ２１から２ｎのフォワード電圧を超えるべきである。結果として、個々のパルス４ａ及び４ｂの形状は、列状のＯＬＥＤ２１から２ｎの１つの位置に沿って伝わる場合に、その最大値が順方向における電流フローをトリガしないように選択され得る。ＯＬＥＤの非線形な特性曲線を考えると、遅延素子５１から５ｎの構造に沿った信号パルス４ａ及び４ｂの（ほぼ）無損失の伝播は、ＯＬＥＤが非導通状態、すなわち、言い換えると、スイッチオフ状態である限り、達成される。この場合に、矩形の電力信号パルス形状が、本発明をそのような形状に限定することなく、選択された。本例では、電力信号パルス４ａ及び４ｂは、フォワード電圧ＶＦの０．７５倍の信号強さを示す。これは、ＯＬＥＤが存在しないならば、一致した（重なり合った）電力信号パルス４ａ及び４ｂの場合において、フォワード電圧ＶＦの１．５倍の電圧を生じさせる。しかし、ＯＬＥＤが存在するという事実を前提として、ＯＬＥＤ２１から２ｎの非線形な電圧対電流特性を鑑み、一致する電力信号パルス４ａ及び４ｂによって達成される電圧Ｖの実際の値は、最終的に、ＯＬＥＤ及び遅延構造体の両方の特性によって定義される。
【００３８】
電力信号パルス４ａ及び４ｂを生成するために、回路は発生器配置３を有する。この発生器配置３は、伝播ラインの第１の遅延素子５１と接続されている第１の発生器３ａを有する。第１の発生器３ａは、第１の電力信号パルス４ａを生成し、それを第１の素子５１の位置で遅延素子５１から５ｎの列に供給するよう設計される。発生器配置３は、伝播ラインにおける最後の遅延素子５ｎと接続されている第２の発生器３ｂを更に有する。第２の発生器３ｂは、第２の電力信号パルス４ｂを生成し、それを最後の素子５ｎの位置で遅延素子５１から５ｎの列に供給するよう設計される。
【００３９】
発生器３ａ及び３ｂの夫々は、伝送路のどちらか一方の側での反射を防ぐよう一致した電力伝送の状態を提供するために、式１に従うインピーダンスＺに等しいインピーダンス（詳細には示さず。）を有する。
【００４０】
発生器配置３は制御ユニット６を更に有し、制御ユニット６は、第１の発生器３ａ及び第２の発生器３ｂと接続され、２つの電力信号パルス４ａ及び４ｂの間の時間的関係を制御するよう設計される。実際には、制御ユニット６と２つの電力信号発生器３ａ及び３ｂとの間の協働は、個々の電力信号パルス４ａ及び４ｂを生成する時点のトリガを可能にし、それにより、電力信号パルス４ａ及び４ｂは、遅延素子５１から５ｎ及びＯＬＥＤ２１から２ｎの列を通って伝播する場合に、所望のＯＬＥＤにおいて重なる。制御ユニット６は、自律的に動作しても、あるいは、制御ユニット６が電力信号パルス４ａ及び４ｂの生成を制御することを可能にするデータ又は他の形態の信号を受信してもよい。発生器３ａ及び３ｂの両方を制御ユニット６へ接続することが可能でない又は望ましくない場合は、２つの別個の（個別の）制御ユニットが使用されてよい。これに関連して、単に複数の可能な実施の１つとして、一方の制御ユニットは、所与の周波数を有する制御信号を生成してよい。他方の制御ユニットは、第１の制御ユニットのそれらの制御信号と同期して、光が必要とされない又は望まれない場合に電力信号パルス４ａ及び４ｂを発生させないことを含め、電力信号パルスが所望の又は指示される光り方を達成するために自身又は受信した制御信号に依存して生成されるように、振幅及び遅延を設定してよい。
【００４１】
動作原理は、より詳細に、１次元構造の場合における本発明に従って、第１の動作シナリオを視覚化する図２ａ、第の動作シナリオを視覚化する図２ｂ、及び第３の動作シナリオを視覚化する図２ｃの各信号図において概念的に示されている。各動作シナリオについて、図２ａから２ｃの夫々の個々の信号図の間の時間的関係は、図２ａから２ｃの左側にある時間線ｔによって示されている。この具体的な例では、長方形のボックスＥ１からＥ１５の形で示される１５個ずつの遅延素子及びＯＬＥＤが存在する。図１を参照して上述されたように、遅延構造の一方の側には付加的なインダクタが存在するが、このインダクタは、簡単のために、電力信号パルスのタイミングを示す全ての図において無視される。ボックスＥ１からＥ１５の夫々は、１つの遅延素子を有する。例えば、Ｅ１は、遅延素子５１及び対応するＯＬＥＤ２１を有し、一方、Ｅ２は、遅延素子５２及び対応するＯＬＥＤ２２を有する。ボックスＥ１からＥ１５は、任意の単位において個々のボックスＥ１からＥ１５の空間的な位置を示す図のｘ軸に沿って描かれている。いずれか一方の側で、遅延構造体は、夫々の発生器３ａ又は３ｂによって終端される。第１の電力信号パルス４ａが、ボックスＥ１からＥ１５の列の左側に示される第１のボックスＥ１に供給され、第２の電力信号パルス４ｂが、ボックスＥ１からＥ１５の列の右側に示される第１５のボックスＥ１５に供給されるという事実を考えると、遅延時間ｄｔは、以下：
ｄｔ＝ｔｒｉｇｈｔ−ｔｌｅｆｔ            （式３）
のように、ｔｒｉｇｈｔ（第２の電力信号パルス４ｂの開始時間）及びｔｌｅｆｔ（第１の電力信号パルス４ａの開始時間）に関して定義可能である。
【００４２】
図のｙ軸は、電力信号パルス４ａ及び４ｂの電圧と、２つの電力信号パルス４ａ及び４ｂの重ね合わせ８によって生じる電圧とを夫々反映する。電力信号パルス４ａ及び４ｂの重ね合わせは、図２ａから２ｃにおいて重畳パルス８によって視覚化されている。
【００４３】
一般に、方法は、２つのパルス４ａ及び４ｂが制御ユニット６並びに２つの発生器３ａ及び３ｂの協働によって生成されることを確かにする。第１の電力信号パルス４ａは、第１のボックスＥ１の位置でボックスＥ１からＥ１５の列に供給され、第２の電力信号パルス４ｂは、第１５のボックスＥ１５の位置でボックスＥ１からＥ１５の列に供給される。ボックスＥ１からＥ１５への２つの電力信号パルス４ａ及び４ｂの供給に続いて、信号パルス４ａ及び４ｂは、遅延素子の構造を通って互いに向かって伝播し、ボックスＥ１からＥ１５の夫々に含まれる個々のＯＬＥＤに伝わる。
【００４４】
特に、図２ａは第１の動作シナリオを示し、このシナリオでは、２つの信号パルス４ａ及び４ｂの間の時間的関係は、それらのパルスが同時（時間線ｔにおいてｔ＝０によって示される。）に生成されるように設定される。結果として、遅延時間ｄｔはゼロに等しい。ボックスＥ１からＥ１５の列に沿った逆方向における電力信号パルス４ａ及び４ｂの伝播は、列の中央にある第８のボックスＥ８での電力信号パルス４ａ及び４ｂの重ね合わせを生じさせる。この重ね合わせは、重畳パルス８の形で示されている。このことは、列における重なりの位置で、２つの電力信号パルス４ａ及び４ｂの電圧値の和が８番目のＯＬＥＤの閾電圧ＶＦの値を超えた値になるので、８番目のＯＬＥＤを順方向に駆動して光を放射させる。これは、時間線ｔにおいてｔ＝ｔ１で示されている。
【００４５】
図２ｂは第２の動作シナリオを示す。ｔ＝０で、第１の電力信号パルス４ａが列へと放出される。このシナリオでは、左（第１の）電力信号パルス４ａは、右（第２の）電力信号パルス４ｂが開始される前に既に、ボックスＥ１からＥ１５の列に沿って伝播している。ｔ＝１で、第２の電力信号パルス４ｂが列へと放出される。２つの伝播する電力信号パルスはｔ＝ｔ２で一致する。この構成に従って、特定の正の遅延時間ｄｔが選択されており、第１０のボックスＥ１０で重ね合わせが生じる。これにより、第１０のＯＬＥＤは、その発光状態へと駆動される。
【００４６】
図２ｃは第３の動作シナリオを示す。時間ｔ＝０での第２の動作シナリオとは対照的に、第２の電力信号パルス４ｂは、時間ｔ＝０で列へと放出される。第１の電力信号パルス４ａは、ｔ＝０から幾分遅れてｔ＝１で、列へと放出される。この構成に従って、特定の負の遅延時間ｄｔが選択されており、第６のボックスＥ６で重ね合わせが生じる。これにより、第６のＯＬＥＤは、その発光状態へと駆動される。このシナリオでは、右（第２の）電力信号パルス４ｂは、左（第１の）電力信号パルス４ａが開始される前に予め、ボックスＥ１からＥ１５の列に沿って伝播していた。
【００４７】
これら３つのシナリオの全てにおいて、２つの電力信号パルス４ａ及び４ｂの重ね合わせは、フォワード電圧ＶＦを超える全体信号強さをもたらす。このことは、ＯＬＥＤを通る順方向における電流フローが、２つの伝播する電力信号パルス４ａ及び４ｂの重ね合わせを受けることを可能にする。ボックスＥ１からＥ１５の列内で電力信号パルス４ａ及び４ｂの重複を達成するために、以下の条件：
｜ｄｔ｜≦ｎ・ｔｓｅｇ            （式４）
が満足されるべきである。ここで、ｎは、本実施例の場合に、１から１５の範囲にある。照射されるよう所望のＯＬＥＤをアドレッシングするための適切なタイミングを実行するために、制御ユニット６は、以下の式：
ｔｄｅｌａｙ＝（２・ｎｓｅｌ−（ｎ＋１））・ｔｓｅｇ          （式５）
を適用して、２つの電力信号パルス４ａ及び４ｂの重ね合わせを受けるＯＬＥＤの数ｎｓｅｌを定義し、且つ、必要とされる遅延時間ｄｔをｎｓｅｌ及びｔｓｅｇの関数として計算することを可能にする。ここで、ｎｓｅｌは、本実施例の場合に、１から１５の範囲にある。式５は、遅延素子５１から５ｎ及び最後の（ｎ＋１）番目のインダクタＬを含む遅延構造体においてｎ＋１個の素子が存在するが、ＯＬＥＤ２１から２ｎはｎ個しかないという事実を考慮する。この点で、遅延構造体に関する対称性の検討は最初に行われていることが強調される。
【００４８】
明りょうさのために、ＯＬＥＤ２１から２ｎでの信号パルス４ａ及び４ｂの重ね合わせは、２つの電力信号パルス４ａ及び４ｂの全体的な損失を生じさせないことに留意すべきである。ＯＬＥＤ２１から２ｎの非線形な特性曲線のために、電力信号パルス４ａ及び４ｂによって供給されるエネルギ又は電力の一部しか実際には消散しない。この状況は、バルブが、開かされるように特定の開放力を要し、且つ、媒体が自身を通ることを可能にすることに似ている。バルブの開放を引き起こす媒体は、媒体の一部又は一定量が開いたバルブを通る場合に、圧力が下がった後に、圧力が増大したバルブの側から完全に消滅するわけではない。この例えを鑑みて、回路１を開放する場合は、予防措置が推奨される。１又はそれ以上のＯＬＥＤの位置で互いに重なり合った後に伝播し続ける電力信号パルス４ａ及び４ｂの残りの部分の不要な且つ接御されていない更なる重ね合わせを回避するために、残りの電力信号パルス４ａ及び４ｂは、遅延構造体の夫々の端においてインピーダンスＺでの消散を必然的に伴う。従って、特定の緩和又は回復時間が、新しい電力信号パルス４ａ及び４ｂを遅延構造体に供給する前に、推奨される。
【００４９】
回路１は、宣伝又は家庭用電子（ＣＥ）機器等のためのディスプレイ装置に含まれてよい。一例として、オーディオ再生装置の早送り又は巻き戻し動作を示すマルチライトチェーン（multi-light  chain）が考えられてよい。ＣＥ機器は、回路１をトリガして、例えばＭＰ３オーディオファイルを閲覧する方向を示すデータを与える。このようなデータを示す方向に基づき、制御ユニット６は発生器３ａ及び３ｂのタイミングを制御し、それにより、早送り動作の場合には、左から右へ移動する光点が目に見えるようにし、巻き戻し動作の場合には、右から左へ移動する光点が目に見えるようにする。
【００５０】
図３は、全部で３２個のＯＬＥＤが組み込まれた回路１のシミュレーションのシミュレーション結果を示す。ｘ軸は、ＯＬＥＤの位置を示す。ｙ軸は、任意の単位においてＯＬＥＤ電流の積分を示す。シミュレーションを行うために、ＬＥＤが、実質的にＬＥＤの特性に対応する発光特性のみを有する（実際のＯＬＥＤが有するような寄生特性（例えば、容量及び／又は誘導特性）のない）理想的なＯＬＥＤに代えて、シミュレーションにおいて使用される。次の値が電気回路の素子に対して選択された：Ｌ＝１０μＨ、Ｃ＝１００ｎＦ、そして、フィリップス・ルミレッズから販売されるＬＸＫ２−ＰＷ１４と呼ばれるデバイスのシミュレーションモデルが使用されるダイオード。これは、次のパラメータをもたらす：Ｚ＝１０Ω、ｔｓｅｇ＝１μｓ。２つの電力信号パルス４ａ及び４ｂは、矩形状であり、パルス期間においては２０μｓの存続時間及び５ボルトの信号強さを有し、パルス期間の前後では０ボルトである。電力信号パルス４ａ及び４ｂの立ち上がり及び立ち下がり時間は、２ｎｓであるよう選択される。２０μｓのパルス長は相当に長く、パルスが互いに重なり合っている長い時間を生じさせる。従って、電力信号パルス４ａ及び４ｂの重なりの区間の空間的な広がりは、ただ１つのＬＥＤの位置を超えて延長し、従って、複数のＬＥＤをカバーする。結果として、得られるＬＥＤ電流は、ただ１つのＬＥＤの選択ではなく、むしろ、複数の隣接するＬＥＤが異なった強さ又は輝度を有して光を放射することを明確に示す。しかし、ＬＥＤ電流のピークの位置は、選択される遅延時間ｄｔに依存する。参照符号９から１４によって表されるＬＥＤ電流に関し、選択される遅延時間は、次の表において示される：
【００５１】
【表１】
0005777252.tif 000002
一方で、光を放射するようトリガされる多数のＬＥＤは、電力信号パルスの選択される存続時間に依存する。通常、負荷素子の非線形特性により、電力信号パルス４ａ及び４ｂに蓄えられる全てのエネルギが１つのＬＥＤで完全に消費されるわけではなく、従って、電力信号パルス４ａ及び４ｂの一部は、次のＬＥＤへ伝わる。一般に、パルスがより短ければ、光を放射するＬＥＤの数は少なくなる。上記のパラメータを最適化することによって、ただ１つのＬＥＤのみをアクティブにすることが可能であるが、他方で、この最適化は、選択されるＬＥＤの電圧対電流特性曲線にも依存する。そのため、分析的式は与えられない。
【００５２】
十分に高い繰り返し周波数（例えば、５０Ｈｚより高い周波数）で安定した電力信号パルスを生成する場合に、単一のＬＥＤにわたって延在する又は複数のＬＥＤにわたって延在する安定した明領域が生成可能である。この場合に遅延時間が小さいステップで変化するとき、明領域の滑らかな移動が得られる。
【００５３】
十分に高い繰り返し率で適切な電力信号パルス列を生成する場合に、連続的に（例えば、交互に）１よりも多い領域をアクティブにすることも可能である。ＬＥＤを見ている人が抱く印象は、人の目によって生成される神経刺激の処理、又は人の目の生理学的性質によって決定される。人の目の鈍い反応により、幾つかの明点が同時に存在するように思われる。結果として、多数の明領域が実際上同時に示されてよい。
【００５４】
上述されるような遅延ラインの１次元構造は、別素子によって構成される遅延平面を形成するよう２次元構造に拡張される。これは図４ａ及び図５に示される。先と同じく、動作原理は、発光特性のみを有する理想的なＯＬＥＤが使用されると仮定することによって、説明される。
【００５５】
図４ａは、２次元構造が、図面において左から右へ平行に通っているｎ本の水平伝播ラインと、図面において上から下へ平行に通っているｍ本の垂直伝播ラインとであると理解され得ることを示すために３ａ＿ｌｅｆｔ、３ｂ＿ｒｉｇｈｔ、３ａ＿ｔｏｐ及び３ｂ＿ｂｏｔｔｏｍと符号を付された、夫々の側部に配置される４つのパルス発生器を有する回路１を示す。発生器３ａ＿ｌｅｆｔ、３ｂ＿ｒｉｇｈｔ、３ａ＿ｔｏｐ及び３ｂ＿ｂｏｔｔｏｍの夫々は、対応する結合ネットワーク２４、２５、２６及び２７を介して回路１の内部構造体と接続されている。回路１の内部構造体は、参照符号Ｅ１１からＥｎｍによって表されるｎ×ｍ個の同一のボックスを示す。以下、シンボル“Ｅ”に続く数字は、インデックス“ｎ”及び“ｍ”によって、離散した座標位置を示す。
【００５６】
水平遅延ラインの夫々の垂直遅延ラインに１つとの夫々の結合は、同一のボックスＥ１１からＥｎｍの１つにおいてその中心を有する。遅延平面の右下に位置するボックスＥｎｍは、図４ｂで詳細に示される。それは、図１に示されるキャパシタＣと等価なキャパシタＣｎｍと、図１に示される例えばダイオード２１と等価なＯＬＥＤ２ｎｍとを有する。加えて、４つのインダクタＬ＿ｌｅｆｔｎｍ、Ｌ＿ｒｉｇｈｔｎｍ、Ｌ＿ｔｏｐｎｍ及びＬ＿ｂｏｔｔｏｍｎｍが示されている。実際には、隣接するボックスの対応するインダクタとの、又は隣接する結合ネットワークのインダクタとのこれらのインダクタの夫々の組合せが、図１に示されるインダクタＬと等価なインダクタを実現する。インダクタＬを左、右、上、下の部分に分けることは、単に明りょうさの目的を適えるにすぎず、組合せインダクタＬが現実世界の実施では存在する。この環境は図５で視覚化される。図５では、回路の左上部分が詳細に示されている。ボックスＥ１１からＥ２３の端は、インダクタＬを２つの（同一）部分に分けるように描かれている。また、結合ネットワーク２４及び２６の一部の詳細も示されている。
【００５７】
明りょうさのために、結合ネットワークの素子も、場合によっては、数字ｎ又はｍと合致して複製されることに留意すべきである。結合ネットワーク２４から２７は、実際には、端部に配置されるマトリクス素子Ｅ１１からＥｎｍ（例えば、Ｅ１１、Ｅ１２、Ｅ１３、Ｅ２１）の延長であり、例えば、遅延素子及び幾つかの抵抗の部品を有するが、ＯＬＥＤの発光領域を有するべきではない。結合ネットワークは、例えば、垂直方向の発生器３ａ＿ｔｏｐ及び３ｂ＿ｂｏｔｔｏｍから共通接続を介して水平方向の発生器３ａ＿ｌｅｆｔ及び３ｂ＿ｒｉｇｈｔへ又はその逆の方向において放出される電力信号パルスの短絡を妨げる等の副次的な効果を最小限とするよう要求される。電力信号パルスが、互いに並列に延在する全ての伝播ラインに供給されるという事実を鑑みて、直交する伝播ラインとの交点での誘導結合は、最初に述べた次元におけるパルスの伝播に影響を与えず、また、逆の場合も同じである。このことは、基本的に、電力信号パルスが平行に延在する伝播ラインに沿って同じ位置で同時に現れるという事実によって与えられる。それは、１次元構造を２次元構造に拡張するための基本的な考慮である。
【００５８】
上記の実施形態と同様に、２次元実施形態も、本場合においては４ａ＿ｌｅｆｔ、４ｂ＿ｒｉｇｈｔ、４ａ＿ｔｏｐ及び４ｂ＿ｂｏｔｔｏｍと符号を付された個々の電力信号パルスの生成タイミングによって、光効果を作り出すことが可能である。回路１の２次元（１１・１１）マトリクス素子実施形態の幾つかのシミュレーションが図６ａから６ｄに示される。これらの図において、高輝度の領域は符号Ｂが付され、低輝度の領域は符号Ｄが付され、中輝度の領域は符号Ｍが付される。なお、基本的な動作原理は、２次元の視覚効果を有することを除いて、１次元の場合と同じである。例えば、適切なタイミングを有して電力信号パルス４ａ＿ｌｅｆｔ及び４ｂ＿ｒｉｇｈｔのみを適用することは、図６ｄで視覚化されるように垂直方向において広がった光点をもたらす。如何なるエッジ効果もなければ、それは完全な垂直線である。適切なタイミングを有して電力信号パルス４ａ＿ｔｏｐ及び４ｂ＿ｂｏｔｔｏｍのみを適用することは、水平に広がった光点をもたらす。電力信号パルス４ａ＿ｔｏｐ、４ｂ＿ｂｏｔｔｏｍ、４ａ＿ｌｅｆｔ及び４ｂ＿ｒｉｇｈｔの中の２よりも多い電力信号パルス（例えば、それらの３つ又は４つ全て）を適切なタイミング及びそれらのうちの２つのみを適用する場合と比べて低減された振幅を有して適用することは、図６ａ及び６ｂに示されるように、１つの点をアクティブにすることをもたらす。図６ａ及び６ｂに関して、異なったタイミングパラメータ、すなわち、異なった遅延時間が使用された。結果として、最も高い輝度が異なった位置に現れる。正の振幅を有して電力信号パルス４ａ＿ｌｅｆｔ及び４ｂ＿ｒｉｇｈｔ（これらのパルスは、更なる電力信号パルスがまさに生成されたものと一致することなく、左右方向に伝播する。）を生成することは、垂直方向に照射されるＯＬＥＤの列のみをもたらす。しかし、負の振幅を有する更なる電力信号パルス４ａ＿ｔｏｐ及び４ｂ＿ｂｏｔｔｏｍが生成されて上下方向に伝播するや否や、この垂直な列は中断され、その位置が、適用されるタイミングに従って決定される。達成される他の効果は、特定の領域又はスポットを暗くすること又は無効にすることであってよい。また、回路１は、バイアス電圧及び４つ全ての電力信号パルス４ａ＿ｌｅｆｔ、４ｂ＿ｒｉｇｈｔ、４ａ＿ｔｏｐ及び４ｂ＿ｂｏｔｔｏｍを提供する場合に、ＬＣＤバックライト装置を実現するために使用されてもよい。建設的な重ね合わせの場合に、局所的な強調表示が達成可能である。破壊的な重ね合わせの場合に、局所的な暗化が、ＬＥＣバックライト装置を介して、達成可能である。
【００５９】
全ての場合において、一組の電力信号パルスを供給することは、１つの光効果をもたらしうる。夫々同じ相対的なタイミングを有して一連の電力信号パルスを適用することは、同じ位置で一連の光効果をもたらす。この光効果は、パルス列の繰り返し率が十分に速い場合に、不変の光効果として維持可能である。
【００６０】
一連の電力信号パルスを適用し、その間に相対的なタイミングを変えることは、様々な位置で光効果を生じさせる。アクティブにされる位置が然るべく変化する場合に、様々な位置での一連の光効果は、光効果の移動として認識され得る。これにより、例えば、提案される歩行方向を示す移動する光効果が、誘導光としての使用のために生成可能である。
【００６１】
個別のインダクタ、キャパシタ及び理想的なＯＬＥＤを用いる等価回路図による動作原理の上記記載の後、本発明の記載は、ディスクリート構造の分野から離れ、上述された本発明の動作原理が適用される半連続体（semi-continuum）又は連続体（continuum）構造の分野に移る。図７に示される従来のＯＬＥＤ２８の変形は、連続体構造へのこのような転換を行う。離散的なスポット状の発光構造を有するＬＥＤとは異なり、ＯＬＥＤ２８は、面状の発光構造を実現する。ＯＬＥＤの設計を鑑み、ＯＬＥＤは、図４ａに示されるボックスＥ１１からＥｎｍのアレイのほぼ全ての構成要素をその内部のプレーナー構造において有するので、ｎ×ｍディスクリートバージョンの連続体バージョンを実現することができる。
【００６２】
従来技術のＯＬＥＤ２８の既知の構造及びその固有特性（連続体様の光放射及び連続体様のキャパシタ）に基づき、（発生器を除く）回路１の離散的な記述を、ＯＬＥＤ２８のプレーナー連続体構造の有限要素に基づく記述に変換することができる。既に存在する連続体様のキャパシタに加えて、付加される特性は、ＯＬＥＤ２８の内部で遅延構造体を実現するために、欠けている誘導的な挙動である。
【００６３】
一実施形態において、これは、図８において本発明に従うＯＬＥＤ３５に関して示される誘導層を加えることによって達成される。明りょうさのために、電力信号パルスを生成する発生器は、ＯＬＥＤ３５の構造上の改善又は変形のみに焦点を当てるために、以降の図では省略されることに留意すべきである。上記の実施形態において記載された結合ネットワーク及び電力信号パルスを生成する発生器は、統合された設計を作り出すために、そのようなＯＬＥＤ３５の設計内に含まれてよい。発生器及び結合ネットワークは、また、ハイブリッド設計を実現するために、ＯＬＥＤとは別個に配置されてもよい。設計選択のそれらの及び他の変形例は、本発明の概念に包含されるべきである。
【００６４】
図８に示されるように、本発明に従うＯＬＥＤ３５は、特定の端子構造体を有する。それは、いずれか一方の側でアノードコネクタ３３及び４つのカソードコネクタ３２＿ｌｅｆｔ、３２＿ｒｉｇｈｔ、３２＿ｔｏｐ及び３２＿ｂｏｔｔｏｍを示す（図９の上面図も参照されたい。）。アノードコネクタ３３は、アノード層３３ａへと継ぎ目なく延在し、アノード層３３ａとともに長方形構造を形成する。カソードコネクタ３２＿ｌｅｆｔ、３２＿ｒｉｇｈｔ、３２＿ｔｏｐ及び３２＿ｂｏｔｔｏｍは、基本的に、カソード層３２ａへと継ぎ目なく延在するが、カソードコネクタ３２＿ｌｅｆｔ、３２＿ｒｉｇｈｔ、３２＿ｔｏｐ及び３２＿ｂｏｔｔｏｍの夫々は、カソード層３２ａから外向きに延在して、それ自体で長方形形状を示す。更に、誘導特性を有する層３６（本場合においては、強磁性体層３６）がカソード層３２ａを覆う。この実施形態では、共通のアノード層３３ａが設けられる。しかし、４つのカソードコネクタ３２（３２＿ｌｅｆｔ、３２＿ｒｉｇｈｔ、３２＿ｔｏｐ及び３２＿ｂｏｔｔｏｍ）は、夫々ＯＬＥＤ３５の辺の１つに配置され、図４ａと同様に、個々の発生器３ａ＿ｌｅｆｔ、３ｂ＿ｒｉｇｈｔ、３ａ＿ｔｏｐ及び３ｂ＿ｂｏｔｔｏｍが接続可能であるように設計される。他の実施形態では、４よりも多い（＞４）又は４よりも少ない（＜４）カソードコネクタ３２＿ｌｅｆｔ、３２＿ｒｉｇｈｔ、３２＿ｔｏｐ及び３２＿ｂｏｔｔｏｍが可能である。また、それらのカソードコネクタ３２＿ｌｅｆｔ、３２＿ｒｉｇｈｔ、３２＿ｔｏｐ及び３２＿ｂｏｔｔｏｍの配置は、本発明の適用範囲から逸脱しない範囲で、要求に応じて異なってよい。更に、共通基準電位を使用せずに、これを同様に構成することが可能である。図９は、カバー３１の部分が取り除かれたＯＬＥＤ３５を概略的に示す。従って、開かれたＯＬＥＤ３５を見ることができる。光放射の方向は、図面の面に位置している。４つの角では、密封カバー３１の部分が依然として見られる。強磁性体層３６は、開かれたＯＬＥＤ３５の上部に見える。まさに例示のために、ディスクリート・インダクタＬは、１次元及び２次元の個別素子に基づいて、本発明の動作原理の説明において強磁性体層３６の機能をインダクタＬと結び付けるために、強磁性体層３６の表面上に長方形構造で象徴的に視覚化されている。強磁性体層３６は、カソード層３２ａと隣接している。強磁性体層３６は、特定の光学特性、すなわち、光を反射する特性、特定の波長の光のみを反射する特性、光が透過する特性等を有する材料から選択されてよい。強磁性体層３６、すなわち、より一般的には、誘導特性を実現する構造体は、ＯＬＥＤ３５の積層構造に接着されても、あるいは、カバー３１によってＯＬＥＤ３５に押しつけられてもよい。カバー３１は、また、強磁性材料から作られてもよい。
【００６５】
更なる実施形態に従って、追加の強磁性体層３６を使用せずに、代わりに電極コネクタ３２、３２ａ及び３３、３３ａを使用することによっても、電極コネクタ３２、３２ａ及び３３、３３ａによって達成される誘導性が十分な値を示すよう実現され得るならば、誘導的な挙動が実現可能である。また、電極３２ａ及び３３ａは、それらだけで、又は電極コネクタ３２及び３３と組み合わせて、又は強磁性体層３６と組み合わせて、遅延構造体を実現してよい。更なる実施形態に従って、誘導的な挙動は、強磁性体層３６とともにコイルを用いること又はコイルを付加することによって、要求に応じて調整されてよい。何らかの一様な強磁性体層３６を設計することに代えて、構造化された層を設計することが有利でありうる。強磁性体層３６を構造化することによって、この層３６における渦電流は低減可能であり、セグメント化されたＯＬＥＤが設計可能である。
【００６６】
他の実施形態では、アノード層３３ａに適用される透明な強磁性体層が、ＯＬＥＤ３５の誘導特性を実現するためにアノード層３３ａを使用することとの関連で強磁性体層３６の誘導特性を実現してもよい。
【００６７】
図１０は、構造化又はセグメント化されたアノード層３３ａを有し、一方、カソード層３２ａが共通コネクタ３２とともに平面状のユニットとして設計される更なる実施形態を示す。例えば、印刷コイルＬが、構造化又はセグメント化されたアノード層３３ａを実現するために使用されてよい。図１１は、そのような構造化されたアノード層３３ａの一部の例の上面図である。それは、画素セグメンテーションのみならず、自由な形態（例えば、図１１に示されるようなハート及び矢印）も可能にする。他の所定のシンボルも可能である。
【００６８】
更なる実施形態に従って、１つの設計においてアノード層３３ａのみならずカソード層３２ａでも誘導特性を確立することも可能である。従って、何らかの強磁性体層を伴う印刷コイルが、両方の層３２ａ及び３３ａの上／中で確立可能である。そのような設計を実現することによって、単位面積ごとの比較的高い誘導値が達成可能であり、それにより、電力信号の伝播は、より低い誘導値をと比べて減速される。
【００６９】
ＯＬＥＤ３５内で遅延構造体を実現する様々な実施形態は、ＯＬＥＤ３５を動作させる発明方法を提供する。当該方法は、互いと時間的関係を有する少なくとも２つの電力信号パルス４ａ＿ｌｅｆｔ、４ｂ＿ｒｉｇｈｔ、４ａ＿ｔｏｐ、４ｂ＿ｂｏｔｔｏｍであって、これらの電力信号パルス４ａ＿ｌｅｆｔ、４ｂ＿ｒｉｇｈｔ、４ａ＿ｔｏｐ、４ｂ＿ｂｏｔｔｏｍが発光構造体の一部分で一致する場合に該部分が然るべく給電又は駆動されるような信号強さを有する少なくとも２つの電力信号パルス４ａ＿ｌｅｆｔ、４ｂ＿ｒｉｇｈｔ、４ａ＿ｔｏｐ、４ｂ＿ｂｏｔｔｏｍを基準電位を参照して受け取るステップ；少なくとも２つの電力信号パルス４ａ＿ｌｅｆｔ、４ｂ＿ｒｉｇｈｔ、４ａ＿ｔｏｐ、４ｂ＿ｂｏｔｔｏｍをＯＬＥＤの遅延構造体に該遅延構造体の異なった位置で供給するステップ；遅延構造体内で少なくとも２つの電力信号パルス４ａ＿ｌｅｆｔ、４ｂ＿ｒｉｇｈｔ、４ａ＿ｔｏｐ、４ｂ＿ｂｏｔｔｏｍの伝播を遅延させるステップ；及び発光構造体の前記部分での少なくとも２つの電力信号パルス４ａ＿ｌｅｆｔ、４ｂ＿ｒｉｇｈｔ、４ａ＿ｔｏｐ、４ｂ＿ｂｏｔｔｏｍの一致によって発光構造体の前記部分を駆動するステップを有する。
【００７０】
電力信号パルスを受け取るステップは、ここでは、場合によっては、複数のカソードコネクタ３２又はアノードコネクタ３３によって実行され、各コネクタ３２又は３３は、個々の電力信号パルス４ａ＿ｌｅｆｔ、４ｂ＿ｒｉｇｈｔ、４ａ＿ｔｏｐ及び４ｂ＿ｂｏｔｔｏｍに割り当てられている。
【００７１】
当該方法に関連して、電力信号パルスを遅延させるステップは、ＯＬＥＤ３５の（一様な又はセグメント化された）発光構造体によって実現される容量素子を用いて実行される。
【００７２】
更に、このために、遅延ステップは、先に詳細に説明されたように、ディスクリート又は連続体様の実施形態によって実現される誘導素子を用いて実行される。
【００７３】
本発明に従うＯＬＥＤのシミュレーションは、最終的に、図６ａから６ｄで既に示されたのと同様の結果をもたらす。異なる電力信号パルス振幅及び遅延設定に依存した、結果として得られる様々な光度分布が示されている。最初に述べたように、ＯＬＥＤは、ＯＬＥＤの中心で輝度の低下を生じさせる幾らかの電流分布誤差を示す。従って、適切なパラメータ設定が、このような低下を補償するために選択され得る。この補償の概念は、図６ａに示される結果によって与えられる。例えば９０％の時間を有する所定の期間の間、直流信号を、残り１０％の時間の電力信号パルスと組み合わせることで、このような電流分布誤差を補償可能である。これは、実際には、例えば図６ａに示されるような、タイミングを合わせられた電力信号パルスによって生成される輝度分布との、ＤＣ信号に基づく低下した輝度分布の重ね合わせをもたらす。
【００７４】
２つの信号発生器が上記の実施形態では存在するが、列構造に沿って伝わる少なくとも２つの電力信号パルス４ａ及び４ｂを生成するために１つの信号発生器しか使用されなくてもよいことに留意すべきである。この第２の実施形態に従って、電力信号パルスは、ＯＬＥＤへ例えばその左側で供給され、短絡された右側で反射されてよい。このような第２の実施形態及びその動作は、以下、基本的な動作原理を説明するためだけにディスクリート回路１を示す図１２ａを参照して説明される。図１に示されるディスクリート回路１の実施形態と比較して、第２の発生器３ｂは、例えば、伝播ラインの右端を短絡する配線１５によって、置換されている。配線１５は不整合終端をもたらす。これにより、電力信号パルスは、この場所で反対の極性を有して反射される。第１の発生器３ａは、図１２ｂに示されるように、このような状況を考慮した具体的な設計を示す。図１２ｂは、信号源３ｃと、４つのＮＭＯＳトランジスタＭ１からＭ４を有するＭＯＳ−ＦＥＴフルブリッジインバータ構造３ｄと、例えば整合状態を提供するために、伝播ラインのインピーダンスＺと同じ値を有するインピーダンスＺを有するよう設計されるソース抵抗３ｅとを示す。この設計は、正極性及び負極性を有する電力信号パルス４ａ及び４ｂを生成することを可能にする。また、他の設計実施が、バイポーラ電力信号パルスを生成する解決法を提供してもよい。
【００７５】
ここで、第２の実施形態の動作について記載する。ｔ＝０で、負の極性を有する第１の電力信号パルス４ａは、−０．７５ＶＦの信号強さを有して生成される。抵抗ソースインピーダンスの場合に、理想的な発生器の開ループ電圧は、２・（−０．７５・ＶＦ）＝−１．５・ＶＦに設定される。このようにして生成された第１の電力信号パルス４ａは伝播ラインに沿って伝播し、ＯＬＥＤは、負極性のために、給電されない。ｔ＝ｔ１で、第１の電力信号パルス４ａは、伝播ラインの端部に達し、そこで反射される。伝送方向の変化により、反射された第１の電力信号パルス４ａは、この場合に、第２の電力信号パルス４ｂと符号を付され、正の極性及び０．７５・ＶＦの信号強さを有して伝播ラインに沿って第１のパルス発生器３ａへ向かって伝播する。これは、第２のパルス発生器３ｂが第２の電力信号パルス４ｂを生成するために設けられる第１の実施形態と同じである。第２の電力信号パルス４ｂのこの信号強さを鑑み、依然としてＯＬＥＤのいずれも給電されない。他の電力信号パルスとの如何なる重なり合いもなければ、第２の電力信号パルス４ｂは、単純に伝播ラインに沿って伝わり、ソース抵抗３ｅによって消費される。ここで、更なる（新たな）第１の電力信号パルス４ａが、ｔ＝ｔ２で、０．７５ＶＦの信号強さを有しながら正の極性を有して生成されるとすると、この更なる第１の電力信号パルス４ａも、伝播ラインに沿って伝わる場合に、いずれのＯＬＥＤにも給電しない。ｔ＝ｔ３で、２つの電力信号パルス４ａ及び４ｂは建設的に重なり合い、後述されるように、ＯＬＥＤが存在しなければ、１．５ＶＦの信号強さを示すパルス８を生じさせる。ＯＬＥＤの存在を前提として、電圧Ｖは、あるレベルで頂部を切り取られ（図５ａには図示せず。）、少なくとも一部の信号エネルギが、この位置に配置されている１又はそれ以上のＯＬＥＤへ供給される。一般に、重なりの位置は、２つの電力信号パルス４ａ及び４ｂの間の遅延時間ｄｔによって決定される。それは、更なる第１の電力信号パルス４ａのパルス開始時間ｔ２と、（負の）第１の電力信号パルス４ａのパルス開始時間との間の差として定義される。（負の）第１の電力信号パルス４ａはｔ＝０で生成されるので、遅延時間ｄｔはｔ２に等しい（ｄｔ＝ｔ２）。例えば、一番右端の近くのＯＬＥＤが給電されるべき場合は、（正の）第２の電力信号パルス４ｂは、（負の）第１の電力信号パルス４ａが反射される前に生成される必要がある。従って、タイミングはｔ２＜ｔ１に設定される必要がある。パルスが建設的に重なり合うことを可能にする一般的なタイミング条件は、次の式：
０≦ｄｔ≦ｎ・ｔｓｅｇ            （式６）
によって与えられる。
【００７６】
さもなければ、２つの電力信号パルス４ａ及び４ｂは互いに間に合わない。現実世界のシナリオにおいて、ここで記載される理論モデルは、現在のモデルではパルス存続期間がｎ・ｔｓｅｇよりも短いとされているので、パルス存続期間がｎ・ｔｓｅｇよりも長い場合に適合される必要がある。更に、現在のモデルに従って、最後（ｎ番目）のＯＬＥＤへの給電は遅延時間ｄｔ＝０をもたらす。従って、パルスは全く生成されない。また、現実世界のシナリオにおいて、最後のＯＬＥＤをアドレッシングすることは困難である。しかし、例えば、いずれのＯＬＥＤも用いずに、ダミーセグメント又は遅延素子を適用することで、この問題を解消することができる。
【００７７】
第１の実施形態と同様に、必要とされる遅延時間ｄｔは、特定のＯＬＥＤ数ｎｓｅｌでの輝度ピークの位置に基づいて：
ｔｄｅｌａｙ＝（ｎ−ｎｓｅｌ）・２・ｔｓｅｇ          （式７）
と、計算可能である。
【００７８】
第１の実施形態に関連して記載されたように、パルス存続期間は、アクティブ状態のＯＬＥＤの数及びそれらの輝度を決定する。図１３ａは、伝送する電力信号パルス４ａ及び４ｂによる動作のスキームである。電力信号パルス４ａ及び４ｂは、（負の）第１の電力信号パルス４ａが伝播ラインの端部で反射された後で、特定の素子（本場合ではボックスＥ６）において重なり合ってパルス８を生じさせる。この動作スキームは上記のタイミングを反映する。上から下に延在する時間線ｔは、タイミング図の左側に示されている。ｔ＝０で、第１の電力信号パルス４ａが放出される。ｔ＝ｔ１で、第１の電力信号パルス４ａは、伝播ラインの端部で正の極性を有して反射される。反射された第１の電力信号パルス４ａは、ここでは、第２の電力信号パルス４ｂと呼ばれる。ｔ＝ｔ２で、（正の）更なる第１の信号パルス４ａが放出される。ｔ＝ｔ３で、２つのパルス４ａ及び４ｂが重なり合う。ボックスＥ６の位置では重なり合いが起こる。明りょうさのために、第１の発生器３ａ及びボックスＥ１からＥ１５、並びに伝播ラインの端部を実現する配線１５は、極めて図式的に図１３ａの上部にのみ示され、実際には、図１２ａで詳細に図示されるように互いに接続されている。
【００７９】
図３と同様に、図１３ｂは、図１２ａ及び１２ｂに示された回路１に関してシミュレーション結果を示す。このモデルにおいて適用されるパラメータは、第１の実施形態を参照して記載されたモデルにおいて適用されたパラメータと同じである。参照符号１６から１８によって表されるＯＬＥＤ電流に関し、遅延時間ｔｄｅｌａｙは、次の表において示される：
【００８０】
【表２】
0005777252.tif 000003
ＯＬＥＤ１７のピーク電流は、厳密にはＯＬＥＤの位置番号１８で起こるべきことに
留意すべきである。なお、所望の結果からのわずかなずれが、モデル結果において目に
見える。回路１のモデリングに関連する環境のために、マイナス２μｓの遅延時間ｄｔの補正が、本場合においては適用されるように思われる。
【００８１】
更に、このために、既に先に述べたように、電力信号パルスエネルギの一部は消失し、その一部は依然として伝播ラインに沿って伝播する。この更なる伝播エネルギは、他の電力信号パルスが早すぎる時点で放出される場合に、ＯＬＥＤの望まない給電又はアドレッシングを引き起こすことがある。この理想的でない消失を鑑み、例えば、更なる第１の電力信号パルス４ａ（又は、より正確には、その消失していない部分）は伝播ラインの端部へと伝播し続け、そこで負の極性を有して反射されて、発生器３ａの方へと伝播することが起こり得る。更なる負のパルスがこの場合に早すぎる時点で、例えば、更なる第１の電力信号パルス４ａの反射された部分が発生器３ａに達して、ソース抵抗器３ｅで消費される前に、生成される場合は、これは、２つの負のパルスの建設的な重なり合いを生じさせうる。使用されるＯＬＥＤの制限された負バイアス定格により、このことは困難を引き起こすことがある。従って、次の式：
ｔ＝ｔ２＋２ｎ・ｔｓｅｇ            （式８）
によって定義される一定量の時間（緩和時間）が経過した後にのみ、新しい信号シーケンスを開始することが提案される。その後、新しい電力信号パルスサイクルを開始することが安全である。
【００８２】
この設計は、制御信号を伝送し又は電源接続若しくは電力供給接続を第２の発生器に提供するために伝播ラインの第１の端部を伝播ラインの第２の端部と接続する追加の配線又はケーブルを全く必要としない。従って、このような信号発生器給電設計は、申し分なく、例えば、移動する光点又は光筋を示すＯＬＥＤ管／棒等の長い光源を実現するのに適している。
【００８３】
更なる実施形態で、発生器３ａ又は発生器３ａ及び３ｂは、回路１において適用されるＯＬＥＤのブレイクスルー電圧の境界範囲内で負バイアス電圧を発生させるよう設計されてよい。この解決法は、上記実施形態において記載されるように図らずも更なる（隣接する）ＯＬＥＤに給電することなく、選択されたＯＬＥＤに関してより高い輝度を達成するために、より高い振幅の電力信号パルスが生成されて伝播ライン内に放出されることを可能にする。
【００８４】
負バイアス電圧を使用する実施形態とは対照的に、正バイアス電圧も設計上の選択であってよい。好ましい実施形態において、正バイアス電圧は、ＯＬＥＤのフォワード電圧をまさに下回るように選択されてよい。この設計は、比較的低い電力信号パルス振幅の使用が発生器３ａ（及び３ｂ）によって生成されることを可能にする。小さい振幅を有する電力信号パルス４ａ（及び４ｂ）のみがインピーダンス（整合インピーダンス）を介して伝播ライン内に放出される必要があるので、それは効率を改善する。しかし、この設計上の選択は、適切な動作を可能にするために、比較的低いインピーダンス誘導性Ｌを必要とする。
【００８５】
更なる実施形態で、電力信号パルスは、ＯＬＥＤの最外端で遅延構造体に供給されるのみならず、ＯＬＥＤの構造体内の特定の位置でも供給されてよい。これは、電極コネクタの一部を、例えば、極めて小さな（透明な）配線又は導体を用いて、遅延構造体の内側部と接続することによって、達成可能である。また、追加の相互接続層がこのために設けられてよい。代替的に、電極層の一部分（又は領域）が、遅延構造体の内側部をコネクタと接続するために使用されてよい。そのような実施形態の動作原理は、１次元遅延構造体に関して、図１４を参照して説明される。それは、例えば遅延ラインの左右の端の最外境界からのみならず、遅延ライン内の位置からの電力信号パルスの供給を説明する。先と同じく、発光特性のみを有する理想的なＯＬＥＤが使用されるとする。図１４に示される概念は、図１を参照して既に記載された構成要素に加えて、第３の発生器１９を有する。発生器１９は、第３の電力信号パルス４ｃを生成するよう設計される。それは、伝播ラインの特定インピーダンスＺの半分の値を有するよう設計されている更なる整合インピーダンス２０と接続される。インダクタ２１、キャパシタ３３及びスイッチ２３を有する遅延素子様構造体が、更なる整合インピーダンス２０と接続されている。スイッチ２３は、１つのＯＬＥＤの位置で伝播ラインと接続される。本場合において、それはＯＬＥＤ番号１０と接続されている。特定の電力信号供給状況に対処するために、インダクタ２１の値は、伝播ラインのインダクタＬの半分の値を有するよう設計され、キャパシタ２２の値は、伝播ラインのキャパシタＣの値の２倍であるよう設計される。スイッチ２３は、素子１９から２２を伝播ラインと接続し、又はそれらを伝播ラインから完全に切り離すために、設けられている。設計は、遅延ラインの第１０のボックスＥ１０と第１１のボックスＥ１１との間に更なる電力信号パルス４ｃを導入することを可能にし、導入された更なる電力信号パルス４ｃが伝播ラインに沿って両方の方向において伝播することができるようにする。例えば、３０個のブロックＥ１からＥ３０を有する現実世界の応用では、第１９のボックスＥ１９と第２０のボックスＥ２０との間に接続される更なる素子１９から２３のグループが存在してよい。これは、遅延ラインの３つの区間、例えば、Ｅ１からＥ１０、Ｅ１１からＥ１９、及びＥ２０からＥ３０を定義することを可能にする。どのＯＬＥＤが給電される必要があるのかに依存して、２つの更なる電力発生器１９が、最も良く適合するようにこれをサポートするために使用されてよい。例えば、ＯＬＥＤ番号５が給電される必要がある場合は、ＯＬＥＤ番号１０で接続される更なる第３の発生器１９とともに第１の発生器３ａを使用することが有利である。これにより、より良い結果がもたらされ得る。それは、そうでない場合に、第２の発生器３ｂから放出される第２の電力信号パルス４ｂが、ＯＬＥＤ番号５に達する前に比較的長い距離を移動する必要があり、従って、伝播ラインの理想的でないコンポーネント特性による低下のリスク伴うためである。一般に、給電される選択されたＯＬＥＤの最も近くに接続される発生器３ａ、３ｂ又は１９又はそれらの組合せを用いることが有利である。２つの更なる発生器１９について上記実施形態において述べてきたが、発生器の数は幾つであってもよいことに留意すべきである。更に、更なる発生器１９によって生成される更なる電力信号パルス４ｃを供給するための様々な供給点は、要求に応じて選択されてよい。例えば、整合回路を備えた第３の発生器が、電力信号パルスを複数の供給点と結合する複数のスイッチ２３へ接続されてよい。しかし、また、発生器３ａ又は３ｂが、第３の電力信号発生器１９に代えて、更なるスイッチ、及び、必要に応じて、の更なる整合回路とともに使用されてよい。上述されたように遅延ライン内の特定の位置へ電力信号パルスを供給する原理は、多次元構造体（例えば、ＯＬＥＤ内の遅延平面）とともに使用されてよい。先と同じく、整合インピーダンス２の適切な値が選択されるべきである。
【００８６】
決定的ではないが、本発明に従うＯＬＥＤは、通常は、一般的な照明の分野、すなわち、より具体的に、信号燈用途又は自動車のバックライトにおける局所的な強調表示の分野、装飾効果を作り出す一般的なトピックス、及び誘導灯の分野において使用される。電力信号パルスのタイミングを合わせることによって又はセグメンテーションによって実現可能である粒度（解像度）に依存して、ディスプレイ様用途でさえ、本発明に従うＯＬＥＤにより実現されてよい。
【００８７】
本発明は、限定されない例を用いて図面及び上記記載において詳細に例示及び説明をされてきたが、開示される実施形態に限定されない。
【００８８】
例えば、本発明の概念が家庭用電子機器又は他のディスプレイ装置において用いられる実施形態で本発明を展開することが可能である。制御ユニット６は、制御ユニット６によって解釈される制御信号又はコマンドを受信するよう、夫々の装置の中央処理ユニットと協働してよい。制御ユニット６は、上記記載に従って照射されるようＯＬＥＤの発光構造体内の発光領域の位置を制御してよいが、更に、照明の輝度及び周波数を制御してもよい。ＯＬＥＤの個々の領域を選択する比率を変化させることともに、個々の電力信号パルス４ａ及び４ｂの形式若しくは形状又は存続期間を変化させることによっても、この目的は果たされてよい。幾つかの実施形態で、完全に透明なＯＬＥＤ構造でさえ使用されてよく、これは、ＯＬＥＤがスイッチオンされるときにガラス窓が光を放射する印象を与える。
【００８９】
動作原理の最初の説明において提示されたが、本発明に従うＯＬＥＤ３５に関連して明示されていない動作の例がＯＬＥＤ３５でも開示されているとみなされるべきであることは、明らかである。更に、ＯＬＥＤ３５の一方の側（夫々の電極）に適用される個々の設計は、場合によっては、他方の側にも適用されてよい。電極コネクタ及びコネクタに対する様々な材料の使用は、遅延構造体を実現するために明示されていないが、本発明の適用範囲内にあると考えられてよい。また、光を放射する方向は、本発明に従うＯＬＥＤの開示される概念から逸脱しない設計上の選択であってよい。
【００９０】
開示される実施形態の他の変形が、図面、本開示、及び添付の特許請求の範囲を読むことで、請求される発明を実施する際に当業者によって理解及び達成可能である。特許請求の範囲において、動詞「有する（comprise）」及びその活用の使用は、特許請求の範囲に挙げられた以外の要素又はステップを排除せず、冠詞「１つの（a又はan）」は複数個を排除しない。単一のプロセッサ又は他のユニットは、特許請求の範囲に挙げられた複数の事項の機能を満足してよい。特定の手段が相互に異なる従属請求項において挙げられているという単なる事実は、それらの手段の組合せが有利に用いられ得ないことを示すわけではない。特許請求の範囲における如何なる参照符号も、適用範囲を限定するよう解されるべきではない。
【図１】
0005777252.tif 000004
【図２ａ】
0005777252.tif 000005
【図２ｂ】
0005777252.tif 000006
【図２ｃ】
0005777252.tif 000007
【図３】
0005777252.tif 000008
【図４ａ】
0005777252.tif 000009
【図４ｂ】
0005777252.tif 000010
【図５】
0005777252.tif 000011
【図６ａ】
0005777252.tif 000012
【図６ｂ】
0005777252.tif 000013
【図６ｃ】
0005777252.tif 000014
【図６ｄ】
0005777252.tif 000015
【図７】
0005777252.tif 000016
【図８】
0005777252.tif 000017
【図９】
0005777252.tif 000018
【図１０】
0005777252.tif 000019
【図１１】
0005777252.tif 000020
【図１２ａ】
0005777252.tif 000021
【図１２ｂ】
0005777252.tif 000022
【図１３ａ】
0005777252.tif 000023
【図１３ｂ】
0005777252.tif 000024
【図１４】
0005777252.tif 000025